(57)【要約】【課題】永久磁石を組み入れた回転体を磁石の反発力で回転させる動力発生装置を得る事を目的とする。【解決手段】回転軸に複数の円盤を設置し、該円盤外周部に永久磁石を等間隔で多数固定した回転体を形成し、該回転体近くにボックスで形成されるシーソーを設置し、シーソー両端部に永久磁石を回転体磁石と同極面で取り付け、駆動モーターでシーソーを上下運動させ回転体磁石と反発を繰り返し、回転体に回転力を付与し、駆動モーターのコントロールでシーソーが交互作用を連続的に行うことで回転体に安定的で継続的な回転力を得る動力発生装置。【選択図】　　　図１
2004120818.tif 000002
【特許請求の範囲】
【請求項１】
回転軸に複数の円盤を設置し、該円盤外周部に磁石を同一間隔で多数設置した回転体とし、該回転体付近にシーソーを設置し、該シーソーに磁石を回転体磁石と同極面で取り付け、駆動モーターでシーソーを交互運動させて回転体磁石と反発を繰り返し、回転体に回転力を与えることを特徴とする動力発生装置。
【請求項２】
垂直軸に一つ又は複数の円盤を設置し、該円盤外周部に磁石を同一間隔で多数設置して回転体とし該回転体付近にシーソーを設置し、該シーソーに磁石を回転体磁石と同極面で取り付け、駆動モーターで回転体を回転させ、シーソーの磁石と反発を繰り返し、シーソーに昇降運動力を与えることを特徴とする動力発生装置。
【発明の詳細な説明】
【０００１】
【発明の属する技術分野】
本発明は磁石の磁力を利用して回転体とシーソーの磁石の反発作用で動力を得る磁石による動力発生装置に関する。
【０００２】
【従来の技術】
従来の動力として電気的動力機、燃料利用の動力機等広く使用され技術的には高い水準に達しており、エネルギーの変換効率、又コスト面等で限界があり、又、原子力発電に於いては安全性の問題が近年多発しており、安全な太陽光発電、風力発電等の自然エネルギー利用への変換がされつつある。
【０００３】
【発明が解決しようとする課題】
従来の動力源は、熱の放出、排気ガス等の公害問題があり、又、その出力の効率も悪く運転コストが高くつく点からも化石燃料使用から脱却した、まったく新しい自然循環型の動力発生装置を完成させることを目的とする。
【０００４】
【課題を解決するための手段】
前記目的達成のため、請求項１に係る磁石による動力発生装置は回転軸に複数の円盤を所定位置に設置し該円盤外周部に永久磁石を同一間隔にて多数設置し、永久磁石を固定したシーソーを所定位置に設置し補助モーターで該シーソーを上下運動させて、円盤磁石と反発を繰り返し円盤に回転力を与える。
【０００５】
【発明を解決するための手段】
図１２は本発明で使用する異方性永久磁石の性質を示した図であるが磁性体の上面と下面が横一線で異極であることを磁石同士の反発図１３に利用し、尚且つ反発状態の時側面同士は吸引し合う特性を前記の円盤とシーソーとの磁石の作用に応用し、円盤磁石はシーソー磁石の吸引力で進行するが、側面の磁界は平面の磁界と比較して小さいため暫時にて吸引磁界より脱出して反発磁界に入り、擦り抜けるように円盤磁石は進行方向に推進され円盤に回転力を与えることを特徴とする。
【０００６】
上記円盤磁石と反発したシーソーは押し下げられ、反発磁界より離れるが反対側は反動で跳ね上げられ、円盤磁石の次進行磁石と、シーソー磁石は上記作用を交互に繰り返し行い回転体に連続的に回転力を与えるが、安定的、継続的回転力は駆動モーターのコントロールにより、シーソーの規則的な交互作用によって得られることを特徴とする。
【０００７】
【実施例】
本発明の一実施例について図面に基づいて詳細に説明する。
【０００８】
図１は本発明の磁石による動力発生装置の一実施例の斜視図である。
【０００９】
図１で垂直軸１０に回転円盤８を所定位置に複数設置し、該円盤に磁石９を等間隔にて多数固定して回転体とし、該回転体に回転力を与えるため、回転体の中間部及び下部にシーソーボックス６に構成されるシーソー４を所定位置に設置し該シーソーに磁石５を固定して連結棒７にてシーソーを連結し駆動モーター１でクランク２、伝達棒３を介してシーソー４を上下運動させ円盤磁石９と反発を繰り返し回転円盤８に回転力を発生させる。
【００１０】
図２〜図１０は回転中の円盤磁石とシーソー磁石の変位関係図であるが、図３回転４５°でシーソー左側磁石は円盤磁石との反発で押し下げられ、シーソー右側は反作用で跳ね上り、次に進行中の円盤磁石図４回転９０°はシーソー右側磁石と反発しシーソー右側は押し下げられ、シーソー左側は反作用で跳ね上り上記連続作用により回転体はシーソーとの反発作用で回転方向に推進され、回転力を得る。
【００１１】
図１１は回転円盤とシーソーの磁石取付位置関係を示した図であるが、円盤外縁部に磁石を１２０°角３個体設置に対しシーソーは９０°角４個体設置し磁石同士の吸引、反発作用に時差を設け回転の平準化、円滑化によって安定的な回転動力発生を得る。
【００１２】
図１２は異方性永久磁石の性質と磁力線（磁界）を示した図だが、一般磁石はタテ、左、右に磁極が分かれているのに対し、本発明使用の異方性永久磁石は磁性体ヨコ一線の上下に磁極が分かれている性質を持つため、磁石同士反発状態では側面同士は吸引状態となり回転円盤８の磁石９がシーソー磁石５に接近すると、シーソー磁石に吸引され円盤は加速する。
【００１３】
図１２の異方性永久磁石の長方形を使用し、磁石の側面積と平面積比を１：５程度とし上記側面同士の吸引力からの離脱を容易にし、速やかに円盤磁石とシーソー磁石の反発作用に移行し進行中円盤磁石はシーソーの反発磁界からの脱出によって回転力が円盤に発生し、かかる作用を継続的に行うことで回転体に安定的な回転力が与えられ、又、回転円盤を多段式に設けることで回転力の向上を可能とすることを特徴とする。
【００１４】
本発明は回転軸に磁石を固定した多数の円盤を設置して、これを回転体とし、駆動モーターでシーソーを上下運動させ、シーソーに取り付けた磁石と回転体の磁石を反発させ回転体に回転力を発生させる機構で、回転軸はタテ軸ヨコ軸自由な設計を可能とし、又、回転体の回転方向も左右可能とし、又、シーソーの作動力軽減のため、テコの作用で作動側の延長を長くしている。
【００１５】
【発明の効果】
本発明は以上のような説明で化石燃料を使用しないで、永久磁石の磁力を活用した動力発生装置で、安全性、凡庸性、コスト面等経済的にもその効果は十分期待出来る。
【図面の簡単な説明】
【図１】本発明の一実施例に関する動力発生装置の斜視図である。
【図２】回転時の円盤、シーソー磁石の０°変位関係図である。
【図３】同上　４５°
【図４】同上　９０°
【図５】同上　１３５°
【図６】同上　１８０°
【図７】同上　２２５°
【図８】同上　２７０°
【図９】同上　３１５°
【図１０】同上　３６０°
【図１１】回転円盤、シーソー磁石取付関係図である。
【図１２】異方性磁石の性質と磁力線の図である。
【図１３】異方性磁石の反発時の磁力線の図である。
【符号の説明】
１　駆動モ−タ−
２　クランク
３　伝達棒
４　シーソー
５　異方性磁石
６　シーソーボックス
７　連結棒
８　回転円盤
９　異方性磁石
１０　垂直軸
【図１】
2004120818.tif 000003
【図２】
2004120818.tif 000004
【図３】
2004120818.tif 000005
【図４】
2004120818.tif 000006
【図５】
2004120818.tif 000007
【図６】
2004120818.tif 000008
【図７】
2004120818.tif 000009
【図８】
2004120818.tif 000010
【図９】
2004120818.tif 000011
【図１０】
2004120818.tif 000012
【図１１】
2004120818.tif 000013
【図１２】
2004120818.tif 000014
【図１３】
2004120818.tif 000015